(57)【特許請求の範囲】
【請求項１】
島に取り付けられる外枠と、表面側にゲージ盤面を備え、裏面側に玉通路機構を装備し、上記外枠にヒンジ機構を介して開閉自在に取り付けられる内枠とから構成されるパチンコ台の玉通路機構に玉を供給するパチンコ台における玉供給機構において、
上記玉供給機構は、外枠側に設置され、島の玉供給管から玉を整列状態で受ける連結ノズルと、内枠の玉通路機構の上流側に設置された連結ノズルとを備え、双方の連結ノズルを通じて玉通路機構内に整列状態の玉が供給され、かつ
上記玉供給機構における外枠側の連結ノズルは、回転かつスライド自在に外枠側に支持されるとともに、内枠側の連結ノズルは回転自在に支持され、双方の連結ノズル間に可撓性を有し、玉を整列状態で供給できる連結管が連設されていることを特徴とするパチンコ台における玉供給機構。
【請求項２】
島に取り付けられる外枠と、表面側にゲージ盤面を備え、裏面側に玉通路機構を装備し、上記外枠にヒンジ機構を介して開閉自在に取り付けられる内枠とから構成されるパチンコ台の玉通路機構に玉を供給するパチンコ台における玉供給機構において、
上記玉供給機構は、外枠側に設置され、島の玉供給管から玉を整列状態で受ける連結ノズルと、内枠の玉通路機構の上流側に設置された連結ノズルとを備え、双方の連結ノズルを通じて玉通路機構内に整列状態の玉が供給され、かつ
上記玉供給機構における外枠側の連結ノズルは、スライダー上に取り付けられるとともに、内枠側の連結ノズルは、上記スライダーを動作させるガイド部を備え、内枠を外枠に対して閉鎖した状態で双方の連結ノズルを通じて玉通路機構内に玉が整列状態で供給されるととももに、内枠を開放した際、上記ガイド部によりスライダーがスライドし、玉通路内にストッパー片が侵入することにより玉供給が停止されることを特徴とするパチンコ台における玉供給機構。
【発明の詳細な説明】
【０００１】
【発明の属する技術分野】
この発明は、遊戯場等に設置されるパチンコ台における玉供給機構に関するもので、特に、島の供給タンクから整列状態の玉を内枠の玉通路機構内に直接整列状態で供給することにより、玉詰り等のトラブルをなくし、かつ内枠開放時における玉落ちを防止できるパチンコ台における玉供給機構に関する。
【０００２】
【従来の技術】
通常、遊戯場におけるパチンコ台は、通路間に挾まれた島と称する壁状構造体の片面若しくは両面に並列状態で設置される。従来のパチンコ台は、図１６に示されるように、遊戯場の島に取り付けられる外枠１と、この外枠１に対して開閉可能に取り付けられる内枠２との２つの部材から構成されており、内枠２は、その表面側にゲージ盤面３を備えるほか、玉を貯溜する上皿４ａ、下皿４ｂ及び操作用ハンドル４ｃ等が取り付けられている。そして、外枠１に対する内枠２の取り付けは、外枠１のヒンジブラケット１ａに内枠２のヒンジブラケット２ａを一致させ、両者のピンとピン穴とを整合させることにより行なっており、キーユニット４ｄの操作によりロック片４ｅを上下動作し、外枠１に対して内枠２をロックするようにしている。
【０００３】
更に、従来のパチンコ台における内枠２の内面側には、玉の出入を管理する玉通路機構が設けられている。すなわち、図１７に示すように、玉を貯溜する受け皿５が内枠２の最上部に設置されており、受け皿５で貯溜した玉は、整列通路６を経て賞球払出しユニット７内に供給され、ゲージ盤面３のチャッカーやアタッカー等に入賞した際に、この賞球払出しユニット７からシュート通路を通じて上皿４ａに所定個数の賞球が払い出され、また、玉抜きが必要なときは、玉抜きユニット８を通じて下流側の下通路ユニット９に排出される。
【０００４】
また、上記玉通路機構に加えて、玉を発射するための発射装置１０、ディスプレイ（図８ではディスプレイカバーを符号１１で示す）を制御する基板１２等が内枠２の内面側に取り付けられている。
【０００５】
次いで、島の供給タンクからの各パチンコ台に玉を供給する構成としては、図１８に示されるように、補給レール１３に図示しない島の供給タンクから玉が供給され、整列機構１４により規則正しく一般には一列に規制した状態でジャバラ状の供給管１５に送られ、この供給管１５からイン玉カウント部１６内に入った玉は、カウント処理された後、内枠２の内面上部側に設けられた受皿５に放出される。尚、内枠２の開放時、玉落ちがないようにシャッター板１７がイン玉カウント部１６の下部側に設置されている。
【０００６】
【発明が解決しようとする課題】
しかしながら、従来のパチンコ台においては、特に玉供給機構に着目した場合、補給レール１３から補給される玉は整列機構１４により規則正しく一般には一列に整列させた状態で供給管１５を通じて受皿５に放出されるが、このとき、受皿５には不規則な状態で放出されるため、その後、内枠２に設けた整列通路６により再度規則正しく整列し直してから玉通路機構側に供給する必要があり、特に内枠２は頻繁に開放操作する関係で、この整列通路６で規則正しく整列させる機能にも限界があり、玉詰りが発生しやすく、トラブルの原因になるという問題点が指摘されている。
【０００７】
また、供給側で整列状態である玉を受皿５で不規則状態にバラし、再度整列通路６で整列させるため、構造が複雑化し、かつ多くのスペースが必要となり、ゲージ盤面３に搭載するディスプレイ装置の寸法等、造形自由度においても制約を受けるという欠点が同時に指摘されている。
【０００８】
更に、遊戯中のトラブル等で内枠２を開放した際、シャッター板１７が有効に機能しないと、玉落ちが生じ、誤差玉が発生しやすく、玉数管理に支障が生じるという欠点も指摘されている。
【０００９】
この発明は、このような事情に鑑みてなされたもので、その目的とするところは、遊戯場に設置されるパチンコ台における玉供給機構において、従来の受皿及び整列通路を廃止して、遊戯場の島の供給タンクから供給管を通じて整列状態で送られてくる玉をそのまま整列状態で直接に玉通路機構内に送り込むことにより、玉詰りの解消、ゲーム部面積の増大による造形自由度の向上を図る一方、内枠開放時における玉落ちを確実に防止でき、精度の良い玉数管理が行なえるパチンコ台における玉供給機構を提供することにある。
【００１０】
【課題を解決するための手段】
上記目的を達成するために、第１の発明は、遊戯場の島に取り付けられる外枠と、表面側にゲージ盤面を備え、裏面側に玉通路機構を装備し、上記外枠にヒンジ機構を介して開閉自在に取り付けられる内枠とから構成されるパチンコ台の玉通路機構に玉を供給するパチンコ台における玉供給機構において、上記玉供給機構は、外枠側に設置され、島の玉供給管から玉を整列状態で受ける連結ノズルと、内枠の玉通路機構の上流側に設置された連結ノズルとを備え、双方の連結ノズルを通じて玉通路機構内に整列状態の玉が供給され、かつ上記玉供給機構における外枠側の連結ノズルは、回転かつスライド自在に外枠側に支持されるとともに、内枠側の連結ノズルは回転自在に支持され、双方の連結ノズル間に可撓性を有し、玉を整列状に供給できる連結管が連設されていることを特徴とする。
【００１１】
ここで、外枠は、遊戯場の各島毎の支持台上に設置され、内枠は、外枠に対してヒンジ機構を介して開閉可能に取り付けられる。
【００１２】
内枠の内面側に設置される玉通路機構としては、例えば、通路切替えユニット、上下側玉通路、賞球払出しユニット（ＣＲ機の場合にはＣＲ機用貸出しユニットも含む）、玉抜きユニット、セーフ玉ユニット、アウト玉ユニット等を含むとともに、チャッカーやアタッカーに入賞するために賞球を払出し動作させる制御装置、並びに下皿満杯時に発射口に玉の供給をストップする制御装置等が含まれるであろう。
【００１３】
従って、第１の発明によれば、島の供給タンクから供給管を通じて整列状に供給される玉は、外枠側の連結ノズルと内枠側の連結ノズルを通じて直接玉通路機構の上流側に整列状で供給できるため、従来の受皿、並びに整列通路を廃止することができ、整列通路でのトラブルがなく、玉詰り等の問題も少なくなる。
【００１４】
また、島の供給タンクから供給管を通じて供給される玉は、外枠にスライド自在に支持される連結ノズルに供給された後、連結管に送られ、その後、玉通路機構の上部側の連結ノズルに供給されるため、従来の上皿、並びに整列通路を廃止できるのに加えて、内枠を外枠に対して開閉操作する際、双方の連結ノズル間の距離が可変しても、両連結ノズルが回転するとともに、外枠に設置される連結ノズルがスライド動作し、連結管が可撓変形するため、常に整列状態の玉をパチンコ台の玉通路機構内に供給することができる。
【００１５】
更に、第２の発明は、遊戯場の島に取り付けられる外枠と、表面側にゲージ盤面を備え、裏面側に玉通路機構を装備し、上記外枠にヒンジ機構を介して開閉自在に取り付けられる内枠とから構成されるパチンコ台の玉通路機構に玉を供給するパチンコ台における玉供給機構において、上記玉供給機構は、外枠側に設置され、島の玉供給管から玉を整列状態で受ける連結ノズルと、内枠の玉通路機構の上流側に設置された連結ノズルとを備え、双方の連結ノズルを通じて玉通路機構内に整列状態の玉が供給され、かつ上記玉供給機構における外枠側の連結ノズルは、スライダー上に取り付けられるとともに、内枠側の連結ノズルは、上記スライダーを動作させるガイド部を備え、内枠を外枠に対して閉鎖した状態で双方の連結ノズルを通じて玉通路機構内に玉が整列状で供給されるととももに、内枠を開放した際、上記ガイド部によりスライダーがスライドし、玉通路内にストッパー片が侵入することにより玉供給が停止されることを特徴とする。
【００１６】
従って、第２の発明によれば、島の供給タンクから供給管を通じて供給される玉は、外枠側の連結ノズルに供給され、内枠の閉鎖時にはこの外枠に設置される連結ノズルから内枠の玉通路機構上流側に設けた連結ノズルとが連通しており、玉通路機構内に整列状態で玉を供給することができるとともに、内枠の開放状態においては、内枠の開放操作と連携してスライダーが動作し、玉通路内にストッパー片が侵入し、玉の供給が停止するため、内枠開放時に玉落ちが生じることがない。
【００１７】
【発明の実施の形態】
以下、本発明に係るパチンコ台の実施形態について、添付図面を参照しながら詳細に説明する。
【００１８】
図１は遊戯場の島に本発明に係るパチンコ台を並列状に複数台配置した状態を示す説明図、図２は本発明に係るパチンコ台の第１実施形態の概略構成を示す分解斜視図、図３は図２に示すパチンコ台における内枠を裏面側から見た斜視図、図４は本発明に係る玉供給機構の第１実施形態を示す分解斜視図、図５は本発明に係る玉供給機構の第１実施形態を示す内枠の裏面側から見た正面図、図６，図７は本発明に係る玉供給機構の第１実施形態の動作を示すもので、図６は内枠閉鎖状態、図７は内枠開放状態をそれぞれ示す平面図である。
【００１９】
また、図８は本発明に係るパチンコ台の第２実施形態を示す分解斜視図、図９は図８に示すパチンコ台における内枠を裏面側から見た斜視図、図１０は本発明に係る玉供給機構の第２実施形態を示す分解斜視図、図１１は本発明に係る玉供給機構の第２実施形態を示す内枠の裏面側から見た正面図、図１２乃至図１５は本発明に係る玉供給機構の第２実施形態の動作を示すもので、図１２，図１３は内枠を閉鎖した状態、図１３乃至図１５は内枠を開放した状態をそれぞれ示す各平面図並びに断面図である。
【００２０】
本発明に係るパチンコ台は、例えば図１に示されるように、各島の支持テーブル２０上に、ＣＲ機用カードユニット２１を挾んで並列に複数台配置される。このパチンコ台３０は、図２に示されるように、島に取り付けられる外枠３１と、この外枠３１に対してヒンジ機構を介して開閉可能に取り付けられる内枠３２とから構成されている。本実施形態においては、この内枠３２を中間枠３３と前枠３４との２つの部材から構成している。もっとも、内枠３２を従前のパチンコ台におけると同様に一体化構造としても良い。
【００２１】
更に詳しくは、外枠３１は、パチンコ台３０全体を支持する強度を有する木枠で構成され、一方の側縁部の上下にはヒンジブラケット３１１が設けられており、また外枠３１の上縁部の内面側には後述する玉供給機構に関係する支持金具４０が取り付けられている。
【００２２】
中間枠３３は、金属鋼板を素材とした補強フレーム体から構成され、外枠３１のヒンジブラケット３１１に対応して、ヒンジブラケット３３１がビス止め、あるいはスポット溶接等により固定されており、このヒンジ軸側の側縁部には奥行側に向けて玉通路機構５０（詳しくは後述する）が設置される一方、ヒンジ軸側と反対側の側縁部にはキーユニット３３２、キーユニット３３２の操作により外枠３１に対して中間枠３３をロックするロック片３３３が設けられ、かつ玉を発射する発射ソレノイド等の発射装置３３４が設置されている。
【００２３】
前枠３４の表面側には、図１に示されるように、ゲージ盤面３４１、貯溜する上皿３４２、下皿３４３が設置され、発射装置３３４を操作する操作用ハンドル３４４が右側下方部分に設けられている。前枠３４の裏面側には、ゲージ盤面３４１の中央部に位置するディスプレイ装置のカバー３４５が取り付けられており、更に、このディスプレイ装置を制御する基板３４６もゲージカバーに装着されている。なお、前枠３４は中間枠３３に対してレバー３４７の回動操作により着脱可能に装着される。
【００２４】
ところで、本発明は、この種パチンコ台３０における玉供給機構に関するもので、その第１実施形態について、図３乃至図７に基づき詳細に説明する。
【００２５】
まず、中間枠３３に取り付けられる玉通路機構５０の構成について簡単に説明すると、中間枠３３のヒンジ側の側縁部には、上下方向に沿って、かつ奥行側に向けてベースプレート５１が取り付けられており、このベースプレート５１の内面側には上下方向に沿って玉通路機構５０が設置されている。
【００２６】
この玉通路機構５０は、上流側から順に、通路切替えユニット５２、その下部に設置される上通路ユニット５３、上通路ユニット５３の下部側に並列状に設置される賞球払出しユニット５４、ＣＲ機用貸出しユニット５５、それらの下部に設置される玉抜きユニット５６、下通路ユニット５７、及びセーフ玉ユニット５８、アウト玉ユニット５９の各種ユニットから構成されている。
【００２７】
次に、本発明の要部である玉供給機構について図３，図４を基に説明する。尚、図３では便宜上、玉通路機構５０との関係がわかるように、中間枠３３側に支持金具４０が示されているが、この支持金具４０は、実際には外枠３１に取り付けられている。
【００２８】
まず、２つの支持金具４０には、２列のガイド長孔４０１，４０２が相互にずらせた位置に設けられており、この支持金具４０の内面には、各ガイド長孔４０１，４０２の両側に沿ってガイドプレート４０３，４０４，４０５が取り付けられている。尚、外枠３１に対して支持金具４０のフランジ４０６が取り付けられている。
【００２９】
そして、ガイド長孔４０１，４０２及びガイドプレート４０３，４０４，４０５により形成されるガイド部に装着されるスライダー４１は、半割り体４１１，４１２を接合して構成され、スライダー４１は、スライドノズル４１３と連結ノズル４２を保持し、連結ノズル４２は、特に回転自在に保持されている。そして、スライドノズル４１３は、ロックメンバー４１４を介して島の供給タンクから玉を供給する図示しないジャバラ状の供給管と連結している。
【００３０】
従って、左右一対のスライダー４１が支持金具４０のガイド長孔４０１，４０２にスライド可能に装着され、このスライダー４１に保持されているスライドノズル４１３、連結ノズル４２内に島の供給タンクから玉が供給される。
【００３１】
次いで、内枠３２（中間枠３３）に設置されている玉通路機構５０には、玉通路機構５０の最上部に位置する通路切替えユニット５２に連結ノズル４３がホルダ４３１により取り付けられており、この内枠３２側に設置される連結ノズル４３と外枠側に設置される連結ノズル４２間には、可撓性を有するバネ材からなる連結管４４が連設されている。尚、符号４３２は、連結ノズル４３と連結管４４とのロックメンバーを示す。
【００３２】
従って、通常状態、すなわち、内枠３２を外枠３１に対して閉鎖している状態においては、島の供給タンクから供給管を通じて供給される玉は、スライドノズル４１３、連結ノズル４２に供給され、連結管４４を通じて内枠３２側の連結ノズル４３に到達し、整列状態を維持したまま、通路切替えユニット５２に供給される。
【００３３】
すなわち、タンクの供給管から整列状に供給される玉は、本実施形態における玉供給機構を介して整列状態で玉通路機構５０に供給されることになり、従来の受け皿及び整列通路を廃止することができ、従来玉詰りのネックとなっていた整列通路を廃止することにより、玉詰り等のトラブルを未然に防止できるという利点がある。
【００３４】
また、従来の受け皿及び整列通路を廃止することにより、ディスプレイ装置等、他部品との干渉を考慮する必要がなく、大型のディスプレイ装置の搭載も可能となり、パチンコ台３０のゲージ盤面３４１の造形自由度を大幅に向上させることができるという有利さがある。
【００３５】
更に、本実施形態における玉供給機構においては、図７に示すように、内枠３２（中間枠３３）を開放操作した際には、各連結ノズル４２，４３が回転するとともに、スライダー４１がガイド長孔４０１，４０２に沿ってスライド動作することになり、更に、バネ材からなる連結管４４が可撓変形することにより、内枠３２を開放操作しても玉を整列状態で澱みなく供給することができる。
【００３６】
従って、従来のように内枠開放時に玉落ちが生じるという不具合がなく、玉数管理を精度良く行なうことができ、しかも、内枠３２の開放状態においても継続して整列状態の玉を供給することができ、玉切れ等の問題もなくなる。
【００３７】
次いで、図８乃至図１３は、本発明に係る玉供給機構の第２実施形態を示すもので、従来の受け皿及び整列通路を廃止して、玉を整列状態で直接玉通路機構５０に供給することは第１実施形態と同様であるが、第１実施形態に使用するスライダー４１や可撓性をもつ連結管４４の替わりに、内枠３２の開閉操作により玉通路内に臨むストッパー片を進退させるという構成である。尚、玉供給機構以外の構成は、第１実施形態と同一であるので、同一符号を付しその説明は省略する。
【００３８】
この第２実施形態における玉供給機構は、図９，図１０を基に説明する。外枠３１のヒンジ側上縁部の内面側に支持プレート６０がフランジ６０１の取付孔６０２にスペーサー６０３、バネ６０４、ワッシャー６０５を介して固定されている。
【００３９】
そして、この支持プレート６０上にスライダー６１がスプリング６１１を介してスプリング６１１の引っ張り方向に付勢された状態でスライド可能に取り付けられており、このスライダー６１に連結ノズル６２がホルダ６２１により取り付けられ、連結ノズル６２の供給側には、島の供給管からの玉を受容するロックメンバー６２２が設置されている。
【００４０】
更に、スライダー６１は、支持プレート６０に対してスライド可能であるため、スライダー６１の長孔６１２に対してワッシャー６１３、段付ビス６１４が嵌め込まれ、プレート６０の大径の丸孔６０６内にスライダー６１の下面に設けた円筒部６１５が嵌まり込み、円筒部６１５に設けた切欠き６１６内に丸孔６０６の縁部に形成したストッパー片６０７が侵入可能であり、スプリング６１１のバネ力が作用している時（内枠３２開放時）は、連結ノズル６２と内部が連通している円筒部６１５の切欠き６１６内にストッパー片６０７が侵入して玉通路６１７内で玉の通過を遮断するという構成である（図１５参照）。
【００４１】
そして、このスライダー６１を動作させる手段として、内枠３２（中間枠３３）のベースプレート５１に連結ノズル６３が取付具６３１を介して取り付けられている。この連結ノズル６３は、上記外枠３１側の連結ノズル６２と開口が一致して玉供給が行なわれる中空円筒状の玉通路６３２が設定されているとともに、上縁に沿って波状のフランジ６３３が形成されており、このフランジ６３３がスライダー６１の円筒部６１５と当接して、内枠３２の開閉動作に連携してスライダー６１を動作させることになる。
【００４２】
すなわち、図９，図１１，図１２，図１３で示す内枠３２の閉鎖状態においては、連結ノズル６３によりスライダー６１は図１２中矢印Ａ方向に押圧されているため、外枠３１側の連結ノズル６２と連通する円筒部６１５の玉通過穴６１７と内枠３２側の連結ノズル６３の玉通路６３２の双方の開口が一致している。
【００４３】
従って、島の供給タンクから供給される玉は整列状態で連結ノズル６２，６３を通じて通路切替えユニット５２に供給されるため、この実施形態においても、従来の上皿、整列通路を廃止して、直接整列状態で玉を供給することが可能となり、玉詰り等のトラブルを極力抑えることができ、かつ上皿並びに整列通路を廃止することによりゲーム部の面積を拡大させることができるという第１実施形態同様の作用効果を有する。
【００４４】
そして、内枠３２（中間枠３３）を開放した状態においては、図１４，図１５に示すように、連結ノズル６３のフランジ６３３からの押圧力が解除されるため、スプリング６１１によりスライダー６１が図１４中矢印Ｂ方向にスライドすることにより、図１５に示すように、連結ノズル６２と連通する円筒部６１５の玉通過穴６１７内にストッパー片６０７が侵入して、シャッターとして機能するため、連結ノズル６２から連結ノズル６３への玉の供給が行なわれず、玉供給が停止する。従って、内枠３２開放に伴なう玉落ち等の不具合はなく、精度の良い玉数管理を行なうことができる。
【００４５】
以上説明した通り、本発明に係るパチンコ台３０における玉供給機構は、第１実施形態のように、上側の連結ノズル４２をスライダー４１を介して外枠３１側に取り付け、上側の連結ノズル４２と下側の連結ノズル４３との間に可撓性を有する連結管４４を設置する構成や、第２実施形態のように内枠３２の開閉動作に対応して駆動するシャッター機能をもつスライダー６１により連結ノズル６２，６３間の玉流れを停止させるような構成を採用したが、島の供給タンクから外枠３１側の連結ノズル、玉通路機構５０の上流側に設置した連結ノズルを通じて玉を整列状で直接供給する構成であれば、第１実施形態、第２実施形態に限定されることなく、適宜構造を変更しても本発明を逸脱するものではない。
【００４６】
【発明の効果】
以上説明した通り、本発明に係るパチンコ台における玉供給機構は、以下に記載する格別の作用効果を有する。
【００４７】
（１）第１の発明によれば、島の供給タンクから供給管を通じて整列状に供給される玉は、外枠側の連結ノズルと内枠側の連結ノズルを通じて直接玉通路機構の上流側に整列状で供給できるため、従来の受皿、並びに整列通路を廃止することができ、整列通路でのトラブルがなく、玉詰り等の不具合を有効に解決できるという効果を有する。
【００４８】
更に、従来の受け皿、整列通路を廃止できるため、他部品の設置自由度が向上するとともに、大型のディスプレイ装置の使用が可能になる等、造形自由度が向上するという効果を有する。
【００４９】
また、玉落ちを防止できることから、精度の良い玉数管理が行なえるという効果を有する。
【００５０】
加えて、島の供給タンクから供給管を通じて供給される玉は、外枠にスライド自在に支持される連結ノズルに供給された後、連結管に送られ、その後、玉通路機構の上部側の連結ノズルに供給されるため、従来の上皿、並びに整列通路を廃止できるのに加えて、内枠を外枠に対して開閉操作する際、双方の連結ノズル間の距離が可変しても、両連結ノズルが回転するとともに、外枠に設置される連結ノズルがスライド動作し、連結管が可撓変形するため、常に整列状態の玉をパチンコ台の玉通路機構内に供給することができ、玉詰り、玉切れ等の不具合を有効に解決できるという効果を有する。
【００５１】
（２）第２の発明によれば、島の供給タンクから供給管を通じて供給される玉は、外枠側の連結ノズルに供給され、内枠の閉鎖時にはこの外枠に設置される連結ノズルから内枠の玉通路機構上流側に設けた連結ノズルとが連通しており、玉通路機構内に整列状態で玉を供給することができるとともに、内枠の開放状態においては、内枠の開放操作と連携してスライダーが動作し、玉通路内にストッパー片が侵入し、玉の供給が停止するため、内枠開放時に玉落ちが生じることがなく、精度の良い玉数管理が行なえるという効果を有する。
【図面の簡単な説明】
【図１】  本発明に係るパチンコ台の配置構成を示す説明図である。
【図２】  本発明に係る玉供給機構の第１実施形態を適用したパチンコ台の構成を示す分解斜視図である。
【図３】  図である２に示すパチンコ台における中間枠を裏面側から見た斜視図である。
【図４】  本発明に係る玉供給機構の第１実施形態を示す分解斜視図である。
【図５】  本発明に係る玉供給機構の第１実施形態を示す内枠裏面側から見た正面図である。
【図６】  本発明に係る玉供給機構の第１実施形態における内枠閉鎖状態を示す平面図である。
【図７】  本発明に係る供給機構の第１実施形態における内枠開放状態を示す平面図である。
【図８】  本発明に係る玉供給機構の第２実施形態を適用したパチンコ台の構成を示す分解斜視図である。
【図９】  図である８に示すパチンコ台における中間枠を裏面側から見た斜視図である。
【図１０】  本発明に係る玉供給機構の第２実施形態を示す分解斜視図である。
【図１１】  本発明に係る玉供給機構の第２実施形態を示す内枠裏面側から見た正面図である。
【図１２】  本発明に係る玉供給機構の第２実施形態における内枠の閉鎖状態を示す平面図である。
【図１３】  図である１１中XIII−XIII線断面図である。
【図１４】  本発明に係る玉供給機構の第２実施形態における内枠開放状態時の平面図である。
【図１５】  内枠開放状態時の図である１３と同一部位を示す断面図である。
【図１６】  従来のパチンコ台の構成を示す概略図である。
【図１７】  従来のパチンコ台における内枠を裏面側から見た正面図である。
【図１８】  従来のパチンコ台における玉供給機構の構成を示す説明図である。
【符号の説明】
２０  支持テーブル
２１  ＣＲ機用カードユニット
３０  パチンコ台
３１  外枠
３１１  ヒンジブラケット
３２  内枠
３３  中間枠
３３１  ヒンジブラケット
３３２  キーユニット
３３４  発射ユニット
３４  前枠
４０  支持金具
４１  スライダー
４２，４３  連結ノズル
４４  連結管
５０  玉通路機構
５２  通路切替えユニット
６０  支持プレート
６１  スライダー
６２，６３  連結ノズル
【図１】
0003904043.tif 000002
【図２】
0003904043.tif 000003
【図３】
0003904043.tif 000004
【図４】
0003904043.tif 000005
【図５】
0003904043.tif 000006
【図６】
0003904043.tif 000007
【図７】
0003904043.tif 000008
【図８】
0003904043.tif 000009
【図９】
0003904043.tif 000010
【図１０】
0003904043.tif 000011
【図１１】
0003904043.tif 000012
【図１２】
0003904043.tif 000013
【図１３】
0003904043.tif 000014
【図１４】
0003904043.tif 000015
【図１５】
0003904043.tif 000016
【図１６】
0003904043.tif 000017
【図１７】
0003904043.tif 000018
【図１８】
0003904043.tif 000019